(57)【要約】【課題】  遊技機の扉開閉検出センサに対する不正行為を防止する。【解決手段】  筐体の前面側に付勢される棒状の作用部３０と、作用部の奥側端の近傍に設けられた第１発光部１０と、作用部を挟んで第１発光部に対向して配置された第１受光部１１と、作用部の内部に設けられた筒状の空間の奥側端に設けられた第２発光部２０と、扉に設けられた第２受光部２１と、を備える扉開閉検出センサである。扉１３０が閉じていると第１受光部１１は受光せず、第２受光部２１は受光し、扉１３０が開いていると第１受光部１１は受光し、第２受光部２１は受光しない。作用部３０の先端が故意に押し込まれた状態では、第１受光部１１と第２受光部２１の両方が受光しない。このとき遊技機は不正行為と判定する。【選択図】        図４
2007044204.tif 000002
【特許請求の範囲】
【請求項１】
前面に開口を有する筐体と、
前記筐体の開口を塞ぐ開閉可能な扉と、
前記筐体に設けられ前記前面の側に付勢される棒状の作用部であって、前記扉が閉じた状態で一方の端が前記扉の内側に当接し、前記扉が開いた状態で予め定められた距離だけ前記前面の側に移動する作用部と、前記作用部の前記扉に接する端と反対側の端の近傍に設けられた第１発光部と、前記作用部を挟んで前記第１発光部に対向して配置され、前記作用部が前記前面の側に移動した状態で前記第１発光部から光を受ける第１受光部と、前記扉に接する端から前記反対側の端にかけて前記作用部の内部に設けられた筒状の空間の前記反対側の端に設けられた第２発光部と、前記扉の前記作用部の端が接する位置に設けられ、前記扉が閉じた状態で前記筒状の空間を通して前記第２発光部から光を受ける第２受光部と、を含む扉開閉検出センサと、
前記第１受光部及び前記第２受光部の出力に基づき前記扉の開閉を判定する制御部とを備える遊技機。
【請求項２】
前記制御部は、
前記第１受光部が前記第１発光部の光を受光し、かつ、前記第２受光部が前記第２発光部の光を受光していないとき、前記扉が開いていると判定し、
前記第１受光部が前記第１発光部の光を受光しておらず、かつ、前記第２受光部が前記第２発光部の光を受光しているとき、前記扉が閉じていると判定し、
前記第１受光部と前記第２受光部のいずれもが光を受光していないとき、前記扉開閉検出センサに対して不正行為が行われていると判定することを特徴とする請求項１記載の遊技機。
【請求項３】
前記第２発光部をオンオフするオンオフ制御部を備え、
前記制御部は、前記第２受光部の出力が前記第２発光部のオンオフと一致しているとき受光していると判定し、前記第２受光部が受光しているが、その出力が前記第２発光部のオンオフと一致していないとき、前記扉開閉検出センサに対して不正行為が行われていると判定することを特徴とする請求項２記載の遊技機。
【請求項４】
前記扉の前記作用部の端が接する位置に設けられ、前記第２受光部を保持する棒状の第２受光部保持部を備え、
前記第２受光部保持部の内部に筒状の空間が設けられ、この空間の内部で前記第２受光部が保持され、前記第２受光部保持部の断面は前記作用部の断面と同じであることを特徴とする請求項１乃至請求項３いずれかに記載の遊技機。
【発明の詳細な説明】
【技術分野】
【０００１】
この発明は、スロットマシン等の遊技機に関する。特に、遊技機に用いられる扉開閉検出センサの改良に関する。
【背景技術】
【０００２】
スロットマシン等の遊技機は、遊技者が所定の枚数のメダル（遊技媒体）を遊技機に投入してゲームを楽しむことができるものである。遊技に必要なメダルは、遊技ホール内に設けられたメダル貸機等で借りることができ、所望の遊技機のメダル投入口にメダルを投入することによりゲームを開始することができる。
【０００３】
不正行為を防止するなどの理由から遊技機の扉の開閉等を検出するための扉開閉検出センサが設けられていた。
【０００４】
【特許文献１】特開２００４−１３５８４４「遊技機」  スロットマシンの筐体内部に、閉じ位置にある前面扉を検出する前面扉開閉センサを設ける。前面扉を開くと、前面扉開閉センサからの検出信号が出力されないので、設定変更が可能になる。一方、前面扉を閉じると、前面扉開閉センサから検出信号が出力される。このとき設定変更が無効になる。前面扉に穴を開けて設定変更を行う不正行為を防止することが可能となる。
【発明の開示】
【発明が解決しようとする課題】
【０００５】
従来の扉開閉検出センサの例を図１１に示す。図１１は遊技機の筐体に取り付けられた扉開閉検出センサの部分をその右側からみた図である。扉開閉検出センサは筐体１２０を正面から見てその右内側（扉１３０のヒンジの反対側）に取り付けられている。図１１の符号１２０は筐体の前面（開口部分）を示す。扉１３０が閉じた状態では作用部３０が筐体１２０内に押し込まれて発光部１０と受光部１１の間に割り込むので、受光部１１の出力はオフであるが（図１１（ａ））、扉１３０が開いた状態では作用部３０が前方の突出し、発光部１０と受光部１１の間の空間が開放され、発光部１０の光Ｌが受光部１１に入力され、その出力がオンになる、というものである（図１１（ｂ）：この図は扉１３０が僅かしか開かれていないが実際はもっと大きく開かれる）。作用部３０は、図示しないハウジング（ケース）で保持されて前後に移動可能になっているとともに、図示しないバネ等で前方へ付勢されている。
【０００６】
図１１に示すような従来の扉開閉検出センサは、扉の開放時に光検知センサのオンオフを切り替える作用部３０を押さえ込まれた場合、扉の開放を検出できない。しかも、そのような不正行為がされていること自体も検知することができない。作用部３０を押さえ込む行為自体は難しくなく、このような不正行為による被害が懸念される。
【０００７】
本発明は、上記不正行為を防止するためになされたもので、上記不正行為を困難にするとともに、当該不正行為を発見可能な遊技機を提供することを目的とする。
【課題を解決するための手段】
【０００８】
この発明に係る遊技機は、
前面に開口を有する筐体と、
前記筐体の開口を塞ぐ開閉可能な扉と、
前記筐体に設けられ前記前面の側に付勢される棒状の作用部であって、前記扉が閉じた状態で一方の端が前記扉の内側に当接し、前記扉が開いた状態で予め定められた距離だけ前記前面の側に移動する作用部と、前記作用部の前記扉に接する端と反対側の端の近傍に設けられた第１発光部と、前記作用部を挟んで前記第１発光部に対向して配置され、前記作用部が前記前面の側に移動した状態で前記第１発光部から光を受ける第１受光部と、前記扉に接する端から前記反対側の端にかけて前記作用部の内部に設けられた筒状の空間の前記反対側の端に設けられた第２発光部と、前記扉の前記作用部の端が接する位置に設けられ、前記扉が閉じた状態で前記筒状の空間を通して前記第２発光部から光を受ける第２受光部と、を含む扉開閉検出センサと、
前記第１受光部及び前記第２受光部の出力に基づき前記扉の開閉を判定する制御部とを備えるものである。
【０００９】
前記制御部は、
前記第１受光部が前記第１発光部の光を受光し、かつ、前記第２受光部が前記第２発光部の光を受光していないとき、前記扉が開いていると判定し、
前記第１受光部が前記第１発光部の光を受光しておらず、かつ、前記第２受光部が前記第２発光部の光を受光しているとき、前記扉が閉じていると判定し、
前記第１受光部と前記第２受光部のいずれもが光を受光していないとき、前記扉開閉検出センサに対して不正行為が行われていると判定する。
【００１０】
前記第２発光部をオンオフするオンオフ制御部を備えるようにし、
前記制御部は、前記第２受光部の出力が前記第２発光部のオンオフと一致しているとき受光していると判定し、前記第２受光部が受光しているが、その出力が前記第２発光部のオンオフと一致していないとき、前記扉開閉検出センサに対して不正行為が行われていると判定することもできる。
【００１１】
前記扉の前記作用部の端が接する位置に設けられ、前記第２受光部を保持する棒状の第２受光部保持部を備えるようにしてもよい。
前記第２受光部保持部の内部に筒状の空間が設けられ、この空間の内部で前記第２受光部が保持され、前記第２受光部保持部の断面は前記作用部の断面と同じである。
【発明の効果】
【００１２】
本発明によれば、遊技機の扉開閉検出センサに対する不正行為を防止できるようになる。
【発明を実施するための最良の形態】
【００１３】
発明の実施の形態１．
この発明の実施の形態に係る遊技機（スロットマシン）について図面を参照して説明する。
【００１４】
図１は前扉を閉めた状態を示すスロットマシンの正面図、図２は前扉を１８０度開いた状態を示すスロットマシンの正面図を示す。
【００１５】
図１及び図２中、１００はスロットマシンを示すもので、このスロットマシン１００は、図１に示すように、スロットマシン本体１２０と、このスロットマシン本体１２０の前面片側にヒンジ等により開閉可能に取り付けられた前扉１３０とを備えている。スロットマシン本体１２０は略直方体状の筐体であって、その前面に開口を有するものである。前扉１３０は前記開口を塞ぐものである。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２のさらに下側には、メダル投入口１３２から投入され、詰まってしまったメダルをスロットマシン１００外に強制的に排出するためのリジェクトボタン１３３が設けられている。
【００１６】
また、前記ゲーム表示部１３１の左下方には、ゲームを開始するためのスタートボタン１３４を設けてあり、３つのリールのそれぞれに対応して３つのストップボタン１４０を設けてある。前扉の下端部中央には、メダルの払出し口１３５を設けてある。
【００１７】
スロットマシン本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。スロットマシン本体１２０の内部には、前扉１３０を閉めたときにゲーム表示部１３１が来る位置に三個の回転リールからなるリールユニット２０３が設置されている。ゲーム表示部１３１には開口部が設けられていて、それを通して遊技者が前記リールユニット２０３の各回転リールの図柄を見ることができるようになっている。ホッパ装置１２１の上側のリールユニット２０３との間には電源部２０５が設けられている。
【００１８】
前記前扉１３０の裏面には、図２に示すように、メダル（コイン）セレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００１９】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００２０】
スロットマシンで遊技を楽しもうとする遊技者は、まずメダル貸機（図示しない）等から遊技媒体であるメダルを借り、メダル投入装置のメダル投入口１３２に直接メダルを入れることができる。スタートスイッチ１３４は回転リールの斜め下方に位置するレバーであって、遊技メダルの投入を条件に、リールユニット２０３の駆動を開始させる。リールユニット２０３は、ストップスイッチ１４０によりその駆動が停止される。リールユニットは、三個の回転リールから構成されている。そして、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００２１】
図３は発明の実施の形態に係るスロットマシンの機能ブロック図を示す。
図３において、２００、２０１はそれぞれＣＰＵ、ＲＯＭ及びＲＡＭを内蔵するメイン基板（制御部）、サブ基板である。メイン基板２００はメダルの投入、払い出し、リールの制御、当選処理などを行う。サブ基板２０１は演出表示などの処理を行う。２０２はスタートスイッチ１３４やストップスイッチ１４０、図示しないベットスイッチなどのスイッチからなる操作部である。２０３は三個の回転リールからなるリールユニットである。２０４はゲーム表示部１３１やリールの内部照明、液晶表示装置、スピーカなどを含む演出表示部である。演出表示部２０４により当選役や押し順の報知がなされる。２０５は各部に電源を供給する電源部である。１２１は、貯留したメダルを前扉１３０の前面に設けた払出し口１３５に１枚ずつ払い出すためのホッパ装置である。
【００２２】
図３の遊技機には扉開閉検出センサＤＳが設けられている。扉開閉検出センサＤＳは２組の光検知センサ（第１発光部１０と第１受光部１１、第２発光部２０と第２受光部２１）を備えている。扉開閉検出センサＤＳの出力（第１受光部１１及び第２受光部２１の出力）はメイン基板２００に送られる。メイン基板２００は、後述の図５のテーブルを参照して扉開閉検出センサＤＳの出力に基づき前扉１３０の開閉及び不正行為を判定する。図５のテーブルは、プログラム又はデータのかたちでメイン基板２００の図示しないメモリに予め記憶されている。
【００２３】
図４は、発明の実施の形態１に係る扉開閉検出センサの構造説明図である。図４（ａ）は扉開閉検出センサの正面図である。扉開閉検出センサは例えば筐体１３０の右側面の内側に遊技機正面を向いて取り付けられる（右側面の内側つまりヒンジと反対側に設けると扉のわずかな開閉を検出することができるようになるが、本発明はこれに限定されない。筐体１３０の開口の任意の位置又は筐体１３０の他の個所に設けることができる）。図４（ａ）はそのように取り付けられたときの状態を、扉１３０を開けた状態で正面から見た図である。図４（ｂ）は扉開閉検出センサの右側面図である。図４（ｃ）は、図４（ａ）のＡ−Ａ矢視断面図である。なお、図４において扉開閉検出センサのハウジング（ケース）の表示は省略している（他の図においても同じ）。
【００２４】
図４において、３０は筐体１２０の開口に設けられ、図示しないバネ等の付勢手段によって前面の側に付勢されている棒状（円筒形）の作用部である。作用部３０のほぼ中心にその全長にわたって穴が穿たれていて、これにより円柱状の空間３０ａが設けられている。扉１３０を開けると、図示しない付勢手段により作用部３０は一定の長さだけ筐体１２０から突出するようになっている（図６（ｂ）参照）。しかし、図示しないストッパによりその突出量は制限されている（図６（ｂ）の符号ａが移動可能な距離を示す）。なお、図４（ｂ）（ｃ）は作用部３０が突出していない状態（扉１３０が閉じた状態）を示す。作用部３０は、扉１３０が閉じた状態で一方の端が扉１３０の内側（符号３１）に接し、扉１３０が開いた状態で予め定められた距離だけ前面の側に移動するが、その移動量は制限されていて、その結果扉１３０が大きく開かれると、作用部３０の端は扉１３０の内側（符号３１）から離れるようになっている（図７参照）。
【００２５】
３１は扉１３０の内側に設けられ、作用部３０とほぼ同じ断面をもつ第２受光部保持部である。第２受光部保持部３１は、その内部に設けられた円柱状の空間３１ａの端で後述の第２受光部２１を保持する。なお、第２受光部保持部３１を用いずに直接に扉１３０の内側に第２受光部２１を取り付けることもでき、この場合、第２受光部保持部３１は不要である。第２受光部保持部３１は第２受光部２１を保持する機能を果たしているとともに、第２受光部２１の周囲を覆うことによりその受光範囲を制限するという機能を果たしている。受光範囲を制限することで、扉１３０が一定角度以上開いたときに第２受光部２１が第２発光部の光を受光しなくなるようにできる（図７参照）。そのため、第２受光部を直接に扉１３０の内側に取り付けるときは、受光範囲を制限するカバーをその周囲に設けることが好ましい。
【００２６】
１０は、作用部３０の前記扉に接する端と反対側の端の近傍に設けられた第１発光部である。１１は、作用部３０の端部を挟んで第１発光部１０に対向して配置された第１受光部である。作用部３０が突出していない図４の状態では、第１発光部１０から第１受光部への光の通路は作用部３０の端部で遮られている。図４の例では、第１発光部１０と第１受光部１１は、空間３０ａに対して垂直な（作用部３０の中心軸に垂直な）平面であって、作用部３０にその端よりやや内側の部分で交差する平面の上に配置されている。別の言い方をすれば、第１発光部１０と第１受光部１１は、作用部３０が前面の側に移動した状態（図６（ｂ））で第１発光部から光を受ける位置、具体的には図４（ｂ）（ｃ）の作用部３０の端より測って図６（ｂ）のａの長さよりも短い位置に設けられている。図４（ａ）の例では、第１発光部１０と第１受光部１１は作用部３０の円周近くに設けられているが、これらを中心近く（空間３０ａの近く）に設けるようにしてもよい。
【００２７】
２０は、作用部３０の筒状の空間３０ａの端であって、扉１３０と接する端と反対側の端に設けられた第２発光部である。２１は、第２受光部保持部３１の空間３１ａの奥側（扉１３０側）に設けられ、扉１３０が閉じて作用部３０の空間３０ａと第２受光部保持部３１の空間３１ａが連通した状態で、これらにより形成される空間を通して第２発光部２０から光を受ける第２受光部である。図４（ｃ）は、矢印で示される第２発光部２０の光Ｌが空間３０ａと３１ａを通って第２受光部２１に到達する様子を示す。
【００２８】
図５は、発明の実施の形態１に係る扉開閉及び不正行為の判定の説明図である。
図６は、発明の実施の形態１に係る扉開閉検出センサの動作説明図である（扉閉状態を示す）。
図７は、発明の実施の形態１に係る扉開閉検出センサの動作説明図である（扉開状態を示す）。
図８は、発明の実施の形態１に係る扉開閉検出センサの動作説明図である（不正行為を示す）。
【００２９】
図４〜図８を参照して、発明の実施の形態１における扉開閉検出センサＤＳ及び制御部（メイン基板）２００の動作を説明する。
【００３０】
発明の実施の形態１に係る扉開閉検出センサＤＳは、その作用部を押さえ込むといった不正行為を検出するために別センサ、すなわち第２発光部２０と第２受光部２１を第１発光部１０と第１受光部１１とともに併用した点を特徴とする。第２発光部２０と第２受光部２１を独立して設けるのではなく、それらを従来の扉開閉検出センサＤＳに内蔵する形式とした。従来のセンサによるオンオフ（第１発光部１０の光を第１受光部１１で受光するか否か）以外に、扉１３０の開角度がある程度よりも大きくなると第２発光部２０の光を第２受光部２１で検知できなくなることを利用して、２組のセンサで扉の開閉を監視する。
【００３１】
（１）扉の閉状態
扉１３０が閉じた状態では、作用部３０の先端が筐体１２０の内部側に押し込まれている（図６（ａ）：作用部３０の先端が筐体１２０の開口とほぼ一致している）。この状態では、作用部３０の筐体奥側の端が第１発光部１０と第２受光部の間に割り込み、光を遮断する。他方、作用部３０と第２受光部保持部３１は互いにその端で接触し、それぞれの空間３０ａと３１ａは連通して光の通路が形成されているので、第２受光部２１は第２発光部２０の光を受光している（図６（ａ））。したがって、メイン基板（制御部）２００は、図５のテーブルに従って、第１受光部１１が受光せず、かつ、第２受光部２１が受光しているとき、扉が閉じていると判定する。
【００３２】
（２）扉の開状態
扉１３０が開き始めると、作用部３０が前面側に突出していく。作用部３０が移動できる限界の距離をａとしたとき、作用部３０が距離ａだけ突出した状態は図６（ｂ）のようになる。同図の状態では、第１発光部１０から第１受光部１１への光の通路を作用部３０の端が遮らないので、第１受光部１１は受光している。他方、作用部３０と第２受光部保持部３１はなお互いにその端で接触し、それぞれの空間３０ａと３１ａは連通して光の通路が形成されているので、第２受光部２１は第２発光部２０の光を受光している（図６（ｂ））。メイン基板（制御部）２００は、第１受光部１１が受光し、かつ、第２受光部２１が受光しているとき、特に判定は行わない。
【００３３】
距離ａは、第１発光部１０から第１受光部１１への光の通路を作用部３０の端で遮らなくようになる距離と同じかそれよりも大きくなければならない。しかも、距離ａは、それによる扉１３０と筐体１２０の間の隙間がわずかで、その隙間から内部のスイッチ類を操作不可能なほど小さくなければならない。距離ａは、例えば０．５〜１ｃｍあるいは１〜２ｃｍ程度が好ましい。
【００３４】
扉１３０が更に開いた状態を図７に示す。図７（ａ）は上面図を示し、図７（ｂ）は右側面図を示す。同図の状態では、第１発光部１０から第１受光部１１への光の通路を作用部３０の端が遮らないので、第１受光部１１は受光している。これは図６（ｂ）と同じである。他方、作用部３０と第２受光部保持部３１の接触は離れ、しかも、図７（ａ）に示すように、扉１３０が同図上側の端に設けられたヒンジを中心として回転するに伴い、第２発光部２０の光の放射方向と第２受光部２１の受光方向がずれるので、第２受光部２１は受光しなくなる。別の言い方をすれば、第２受光部２１の受光可能範囲（受光可能範囲は第２受光部保持部３１の空間３１ａの断面径と表面から第２受光部２１までのその深さで決まる）の中に、第２発光部２０の光が入らなくなる。扉１３０をどの程度開くと第２受光部２１が受光しなくなるかは、受光可能範囲を調整することで適宜設定することができる。メイン基板（制御部）２００は、図５のテーブルに従って、第１受光部１１が受光し、かつ、第２受光部２１が受光していないとき、扉が開いていると判定する。
【００３５】
（３）不正行為
扉開閉検出センサＤＳの動作を阻害し、扉１３０が開放されたことを検知できなくする不正行為が行われている。すなわち、不正行為者は、図８に示すように不正な道具（例えば棒状又は板状の物体）Ｘを作用部３０の先端に当て、作用部３０が突出しないようにして扉１３０を開いている。図９の状態では、第１受光部１１は受光しないし、不正な道具Ｘのために第２受光部２１も受光しない。２つの受光部がいずれも受光しない状態は通常はあり得ない。不正な道具Ｘが光を透過するものであっても扉１３０を開くことで第２受光部２１は受光しなくなる。そこで、メイン基板（制御部）２００は、図５のテーブルに従って、第１受光部１１が受光せず、かつ、第２受光部２１が受光していないとき、不正行為がなされていると判定し、必要に応じてエラー報知を行い、エラー信号を外部へ出力する。
【００３６】
なお、図８の場合、不正な道具Ｘで空間３１が確実に塞がれ、第２受光部２１が速やかに受光できなくなるように、作用部３０の断面はなるべく小さくするとよい。
【００３７】
発明の実施の形態１によれば、従来のスイッチ式センサの欠点（扉の開放時に光検知センサのオンオフを切り替える作用部を押さえ込まれると扉の開放を検知することができない）を解消することができ、扉開閉検出センサの弱点を補強し、不正行為を防止することができる。すなわち、扉の開閉ばかりでなく、扉開閉検出センサへの不正行為を判定することができる。
【００３８】
発明の実施の形態１は、検出に反射光を利用する方式ではないため、スイッチの動作を誤認させるような遮蔽物として鏡面を利用しても、光検知センサが誤認することはない。
【００３９】
発明の実施の形態２．
光検知センサの誤認の可能性をより低くするため、図９に示すようにオンオフ制御部２００ａを設け、第２発光部２０の光を断続させるとよい。
【００４０】
図１０にタイミングチャートを示す。
図１０（ａ）は、扉１３０が閉じていて第２受光部２１が第２発光部２０の光を受光している状態を示す。第２発光部２０の光がオンオフし、したがって第２受光部２１の出力信号もオンオフしている。これらは一致している。メイン基板２００は両方の信号を比較することにより、第２受光部２１が受光していると判定する。
【００４１】
図１０（ｂ）は、扉１３０が時刻Ｔ１で開き、これ以降は第２受光部２１が受光しなくなった状態を示す。時刻Ｔ１以降は第２受光部２１の出力信号はオフのままである。メイン基板２００は、図１０（ｂ）の状態に基づき扉が開放されたと判定する。
【００４２】
図１０（ｃ）は、時刻Ｔ２に図８に示すように不正な部材Ｘで作用部３０が押さえられるとともに、別の光（懐中電灯など）が空間３１ａ内に照射された状態を示す。受光信号が発光信号と一致しない。メイン基板２００は両方の信号を比較することにより、第２受光部２１は第２発光部２０の光を受けていないと判定する。この結果、図５のテーブルに従って不正行為と判定される。
【００４３】
なお、図１０（ｃ）に示すような第２発光部２０のオンオフと第２受光部２１の出力のオンオフが一致しないことに基づいて直ちに不正行為と判定するようにしてもよい。
【００４４】
発明の実施の形態２によれば、懐中電灯などを用いて行う不正行為を実行不可能にできる。
【００４５】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００４６】
【図１】扉を閉めた状態を示すスロットマシンの正面図である。
【図２】扉を１８０度開いた状態を示すスロットマシンの正面図である。
【図３】発明の実施の形態に係るスロットマシンの機能ブロック図である。
【図４】発明の実施の形態１に係る扉開閉検出センサの構造説明図である。
【図５】発明の実施の形態１に係る扉開閉及び不正行為の判定の説明図である。
【図６】発明の実施の形態１に係る扉開閉検出センサの動作説明図である（扉閉状態）。
【図７】発明の実施の形態１に係る扉開閉検出センサの動作説明図である（扉開状態）。
【図８】発明の実施の形態１に係る扉開閉検出センサの動作説明図である（不正行為）。
【図９】発明の実施の形態２に係る扉開閉検出センサの機能ブロック図である。
【図１０】発明の実施の形態２に係る扉開閉検出センサの動作説明図（タイミングチャート）である。
【図１１】従来の扉開閉検出センサの構造説明図である。
【符号の説明】
【００４７】
１    メダルセレクタ
１０    第１発光部
１１    第１受光部
２０    第２発光部
２１    第２受光部
３０    棒状の作用部
３０ａ  作用部内の筒状の空間
３１    第２受光部保持部
３１ａ  第２受光部保持部内の筒状の空間
１００    スロットマシン
１２０    スロットマシン本体（筐体）
１２１    ホッパ装置
１２２    ホッパタンク
１３０    扉（前扉）
１３１    ゲーム表示部
１３２    メダル投入口
１３３    リジェクトボタン
１３４    スタートボタン
１３５    払出し口
１３６    導出路
１４０    ストップボタン
２００    メイン基板（制御部）
２００ａ  オンオフ制御部
２０１    サブ基板
２０２    操作部
２０３    リールユニット
２０４    演出表示部
２０５    電源部
ＤＳ    ドアセンサ（扉開閉検出センサ）
【図１】
2007044204.tif 000003
【図２】
2007044204.tif 000004
【図３】
2007044204.tif 000005
【図４】
2007044204.tif 000006
【図５】
2007044204.tif 000007
【図６】
2007044204.tif 000008
【図７】
2007044204.tif 000009
【図８】
2007044204.tif 000010
【図９】
2007044204.tif 000011
【図１０】
2007044204.tif 000012
【図１１】
2007044204.tif 000013